(57)【要約】【課題】授乳を容易にし、かつ、リラクゼーション感を損なわないようにしつつ、ブラジャー機能を有効に発揮できるブラジャー付き授乳用インナーウェアを提供すること。【解決手段】略全体が伸縮性を有しており、胸の谷間付近で右前身頃と左前身頃とが交差するように前後に重なっているインナーウェア部１２と、左右の乳房に対応したパッド部３２を有するようにして、インナーウェア部１２の内側に配置されたブラジャー部３０とを備え、ブラジャー部３０は、胸の谷間付近で右前身頃と左前身頃とが交差するように前後に重なっており、かつ、弾性力により使用者のアンダーバスト周辺を締付ける輪状部４０を有し、さらに、脇ぐり部の肩より下側である第１の領域２２，２２、及び、後身頃の左右の肩甲骨の間であって首の根元側の第２の領域２６でのみ、インナーウェア１２と結合されていることを特徴とする。【選択図】図３
2010285724.tif 000002
【特許請求の範囲】
【請求項１】
略全体が伸縮性を有しており、胸の谷間付近で右前身頃と左前身頃とが交差するように前後に重なっているインナーウェア部と、
左右の乳房に対応した位置にパッド部を有するようにして、前記インナーウェア部の内側に配置されたブラジャー部と、
を備え、
前記ブラジャー部は、
胸の谷間付近で右前身頃と左前身頃とが交差するように前後に重なっており、
かつ、弾性力により使用者のアンダーバスト周辺を締付ける輪状部を有し、
さらに、脇ぐり部の肩より下側である第１の領域、及び、後身頃の左右の肩甲骨の間であって首の根元側の第２の領域でのみ、前記インナーウェアと結合されている
ことを特徴とするブラジャー付き授乳用インナーウェア。
【請求項２】
前記ブラジャー部と前記インナーウェア部との前記第１の領域における結合は、前身頃において、略脇の下に対応した領域のみでの結合とされていることを特徴とする請求項１に記載のブラジャー付き授乳用インナーウェア。
【請求項３】
前記インナーウェア部は、脇ぐり部に弾性力が付与されていることを特徴とする請求項１または２に記載のブラジャー付き授乳用インナーウェア。
【発明の詳細な説明】
【技術分野】
【０００１】
本発明は、ブラジャー機能を有する授乳用インナーウェアに関するものである。
【背景技術】
【０００２】
図７は従来のブラジャー機能を有する授乳用インナーウェアである（例えば特許文献１を参照）。このブラジャー機能を有する授乳用インナーウェア（以下、「授乳用インナーウェア」という）は、アンダーバストより上部１が下部３とは異なり、伸縮性生地からなっており、さらに、上部１の右前身頃と左前身頃が前後に重なるように交差されているクロスタイプとされている。このため、インナーウェアを脱がなくても、上部１の右前身頃或いは左前身頃をめくって乳房を露出させ、乳児に授乳できる。
そして、上部１の前身頃には、内側にパッドが縫合されたカップ部５が設けられており、さらに、カップ部５の下縁に非伸縮性素材７が縫合されている。これにより、授乳用インナーウェアを着用すれば、ブラジャーを付けなくても乳房を保持できる。
【先行技術文献】
【特許文献】
【０００３】
【特許文献１】特許第４０５０７８２号公報
【発明の概要】
【発明が解決しようとする課題】
【０００４】
ところが、図７の授乳用インナーウェアは、アンダーバストより上部１が伸縮性生地からなり、この伸縮性生地に重たいパッドが縫合されている。このため、たとえカップ部下縁に非伸縮性素材７が縫合されていたとしても、上部１全体が動いて胸部とパッドとの位置がずれたり、カップ部５が図７の矢印方向にめくれたりし、ブラジャー機能を有効に発揮できない場合がある。
この点、上部１が動かないように、伸縮性生地ではなく弾性力のある生地や非伸縮性生地を用いれば、ブラジャー機能を有効に発揮できるが、それでは授乳がし難く、或いはインナーウェアのリラクゼーション感が損なわれることになる。
【０００５】
本願は、授乳を容易にし、かつ、リラクゼーション感を損なわないようにしつつ、ブラジャー機能を有効に発揮できるブラジャー付き授乳用インナーウェアを提供することを目的とする。
【課題を解決するための手段】
【０００６】
上記目的は、請求項１の発明によれば、略全体が伸縮性を有しており、胸の谷間付近で右前身頃と左前身頃とが交差するように前後に重なっているインナーウェア部と、左右の乳房に対応した位置にパッド部を有するようにして、前記インナーウェア部の内側に配置されたブラジャー部と、を備え、前記ブラジャー部は、胸の谷間付近で右前身頃と左前身頃とが交差するように前後に重なっており、かつ、弾性力により使用者のアンダーバスト周辺を締付ける輪状部を有し、さらに、脇ぐり部の肩より下側である第１の領域、及び、後身頃の左右の肩甲骨の間であって首の根元側の第２の領域でのみ、前記インナーウェアと結合されているブラジャー付き授乳用インナーウェアにより達成される。
【０００７】
請求項１の発明によれば、インナーウェア部は略全体が伸縮性を有しているため、リラクゼーション機能を発揮できる。また、この伸縮性を有するインナーウェア部は、胸の谷間付近で右前身頃と左前身頃とが交差するように前後に重なっているため、右前身頃や左前身頃をめくり、乳房を露出させて授乳機能を発揮できる。また、左右の乳房に対応した位置にパッド部を有するようにしてインナーウェア部の内側に結合したブラジャー部によって、乳房形状を保持して、ブラジャー機能を発揮できる。
ここで、本発明の場合、上記ブラジャー機能、リラクゼーション機能、及び授乳機能は、以下のように互いに阻害することなく、それぞれ有効に発揮される。
【０００８】
先ず、ブラジャー機能について、ブラジャー部は弾性力により使用者のアンダーバスト周辺を締付ける輪状部を有しているため、この輪状部でアンダーバストを締め付けて位置決めできる。さらに、ブラジャー部は、脇ぐり部の肩より下側である第１の領域、及び後身頃の左右の肩甲骨の間であって首の根元側である第２の領域で、インナーウェア部と結合されているため、身体の左右側面、及び背中側でも位置決めされる。このようにして、ブラジャー部は有効に位置決めされて、めくれや位置ずれを防止し、ブラジャー機能を有効に発揮できる。
そして、本発明はブラジャー部とインナーウェア部とが結合されていても、インナーウェア部のリラクゼーション感の阻害を防止する。すなわち、ブラジャー部は、第１の領域（脇ぐり部の肩より下側）、と第２の領域（後身頃の左右の肩甲骨の間であって首の根元側）でのみインナーウェア部と結合されているため、アンダーバストにある輪状部はインナーウェア部と結合されていない。このため、輪状部の弾性力がインナーウェア部の伸縮性を阻害することなく、インナーウェア部のリラクゼーション感は維持される。また、ブラジャー部がインナーウェア部に結合されている前記第１の領域及び第２の領域は上半身の中でも比較的に動きが小さい部分である。このため、この結合部分におけるブラジャー部とインナーウェア部との相互作用は小さく、ブラジャー部の動きに伴ってインナーウェア部が動くようなことも少ない。したがって、ブラジャー部とインナーウェア部とを結合したとしても、インナーウェア部のリラクゼーション感は大きく損なわれることがない。
また、このようなブラジャー部は、胸の谷間付近で右前身頃と左前身頃とが交差するように前後に重なっているため、インナーウェア部の右前身頃や左前身頃をめくると同時にブラジャー部の右前身頃や左前身頃もめくって乳房を露出し、授乳機能を容易に発揮できる。
【０００９】
また、請求項２の発明によれば、請求項１の構成において、前記ブラジャー部と前記インナーウェア部との前記第１の領域における結合は、前身頃において、略脇の下に対応した領域のみでの結合とされていることを特徴とする。これにより、授乳の際の、ブラジャー部の右前身頃や左前身頃のめくりに連れて、脇ぐり部が動いてしまうことを防止できる。したがって、授乳の際であっても、リラクゼーション機能を有効に発揮できる。
【００１０】
また、請求項３の発明によれば、請求項１または２の構成において、前記インナーウェア部は、脇ぐり部に弾性力が付与されている。このため、請求項２の発明に比べて脇ぐり部の動きをより防止できる。
【発明の効果】
【００１１】
以上説明したように、本発明によれば、授乳を容易にし、かつ、リラクゼーション感を損なわないようにしつつ、ブラジャー機能を有効に発揮できるブラジャー付き授乳用インナーウェアを提供することができる。
【図面の簡単な説明】
【００１２】
【図１】本発明の実施形態に係るブラジャー付き授乳用インナーウェアであって、図１（ａ）はその正面図、図１（ｂ）はその背面図。
【図２】本実施形態に係るブラジャー付き授乳用インナーウェアの概略側面図。
【図３】図１（ａ）のブラジャー付き授乳用インナーウェアの一部を切り欠いて、インナーウェア部の内側のブラジャー部を露出させた正面図。
【図４】ブラジャー部の前身頃側を図３のＡ−Ａ線の位置で切断した端面図。
【図５】本実施形態に係るブラジャー付き授乳用インナーウェアを用いて授乳している様子を示す図。
【図６】本実施形態に係るブラジャー付き授乳用インナーウェアの変形例。
【図７】従来のブラジャー付き授乳用インナーウェアの正面図。
【発明を実施するための形態】
【００１３】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
図１ないし図３は、本発明の実施形態に係るブラジャー付き授乳用インナーウェア１０を示しており、図１（ａ）はその正面図、図１（ｂ）はその背面図、図２はその側面図、図３は図１（ａ）のブラジャー付き授乳用インナーウェアの一部を切り欠いて、インナーウェア部の内側のブラジャー部を露出させた正面図である。
このブラジャー付き授乳用インナーウェア１０は、乳児に授乳する産後の母親等が着用する衣類であり、着用した場合に外側に配置されるインナーウェア部１２と、このインナーウェア部１２の内側（使用者側）に配置されるブラジャー部３０とを備えている。なお、ブラジャー付き授乳用インナーウェア１０は産前の妊婦が着用しても勿論構わない。
【００１５】
インナーウェア部１２は、身体に直接触れて着用される衣類であり、キャミソールやスリップ等といった下着類が該当し、また、下着のような形態や素材を用いたランジェリー・ルックなど、身体に直接触れものであれば、アウターとして着用されるものも含まれる。本実施形態のインナーウェア部１２には、一例としてキャミソールが図示され、使用者の胸部から少なくとも腹部までをゆとりをもって覆い包みながら、これを肩掛部１１で支持し、上腕を露出させるノースリーブ型とされている。
そして、インナーウェア部１２は、リラクゼーション感が得られるように、全体的に身体を締付けない材料や編み方が採用され、後述する限られた部分を除いて、略全体が伸縮性を有する衣類とされている。例えば、インナーウェア部１２には、ポリウレタン混や肌への優しさ加味して綿混素材を使用できる。
【００１６】
また、本実施形態のインナーウェア部１２の後身頃は、図１（ｂ）に示すように、縫合線などが形成されることなしに背中を覆っている。一方、インナーウェア部１２の前身頃については、図１（ａ）に示すように、使用者の胸部を覆うための胸覆い部１４と、腹部以下を覆う筒状の腹覆い部１５とが、略アンダーバストＵＢの位置で縫合されている。
胸覆い部１４は、右前身頃１６及び左前身頃１７にダーツ１４ａ，１４ａを形成して、後述する乳房を保持するパッド部３２の形状に対応させた立体形状とされている。
そして、右前身頃１６や左前身頃１７を図１（ａ）の矢印方向にめくって授乳が可能なように、胸の谷間付近で右前身頃１６と左前身頃１７とが交差するように前後に重なっている。具体的には、前身頃において、インナーウェア部１２の襟ぐり部１９は胸の谷間付近まで形成されて略Ｖ字或いは略Ｕ字状とされている。また、胸覆い部１４における右前身頃１６と左前身頃１７とは一体ではなく、右前身頃１６の胸の谷間側の端部と左前身頃１７の胸の谷間側の端部とが、互いに前後方向（体の厚み方向）に重なり、その下端部が略アンダーバストＵＢの位置で腹覆い部１５に縫合されている。
【００１７】
このような胸覆い部１４には、横方向に比べて縦方向の伸縮性が弱くなるように編成等されており、また、右前身頃１６や左前身頃１７をめくって授乳をした後、再び容易に乳房を隠し、また、生地・編地が伸びてしまう事態を防止するため、例えば、ポリウレタン混のコメットテープ、ピコゴムなどで形成された弾性部材１９ａを襟ぐり部周縁に縫合している。
【００１８】
ブラジャー部３０は、乳房をサポートする点で通常のブラジャーと同様である。すなわち、図３に示すように、使用者Ｍの左右の乳房に対応した一対のパッド部３２，３２が設けられている。なお、バッド部３２は、乳房を保持できるように、伸縮性の小さい布地等を用いて、乳房形状に適合し易いお椀形状に立体裁断されて形成されている。
しかし、本発明のブラジャー部３０は、それ単独で使用者に装着されずに、インナーウェア部１２に結合されることで、インナーウェア部１２を着用すると同時に使用者に装着できる点で通常のブラジャーとは異なる。
また、本発明のブラジャー部３０は、乳房をサポートするだけではなく、授乳機能を容易に発揮すると共に、リラクゼーション機能を発揮するようにされている。
【００１９】
先ず、授乳機能について説明する。
ブラジャー部３０は、胸の谷間付近で右前身頃４２と左前身頃４３とが交差するように前後に重なっている。具体的に、ブラジャー部３０は、インナーウェア部１２の胸部を覆い隠す部分と同様の構成により、めくることが可能とされている。すなわち、前身頃において、胸の谷間付近までは肌を隠さずに、上端縁３４が略Ｖ字或いは略Ｕ字状とされ、右前身頃４２の胸の谷間側の端部と左前身頃４３の胸の谷間側の端部とが、互いに前後方向（体の厚み方向）に重なっている。また、右前身頃４２と左前身頃４３の下端部は後述する輪状部４０に縫合されている。これにより、使用者は授乳をする際、図５に示すように、インナーウェア部１２及びブラジャー部３０の夫々の右前身頃１６，４２或いは左前身頃１７，４３を同時に持ってめくって乳房ＢＲを露出し、容易に授乳できる。
【００２０】
なお、ブラジャー部３０の右前身頃４２と左前身頃４３とが前後に重なっている部分３６は、図３のＡ−Ａ線端面図である図４に示すように、右前身頃４２及び左前身頃４３の夫々の生地・編地（以下、単に「生地」と説明した場合は編地を含む生地を意味する）が二重に形成されている。具体的には、右前身頃４２の該当部分３６の前後に重なった二枚の生地のうち、一方の生地４２ａが横方向に比べて縦方向の伸縮性が弱くなる編組織とされ、他方の生地４２ｂが縦方向に比べて横方向の伸縮性が弱くなる編組織となるように編成されている。なお、左前身頃４３の構成も右前身頃４２と同様である。これにより、授乳のために右前身頃４２や左前身頃４３を繰り返しめくっても、ブラジャー部３０の損傷を防止することができる。
【００２１】
次に、リラクゼーション機能について説明する。
ブラジャー部３０は、ソフトな着用感を得るために、伸縮性を有する生地をベースにして、ワイヤー等の硬質な部材を用いず、以下に述べる種々の部材を結合させることで、所謂ソフトブラジャーのような形態とされている。具体的に、ブラジャー部３０の伸縮性を有する生地には、例えばインナーウェア部１２と同じ綿混素材や、ストレッチ性のあるポリウレタン混が選択でき、本実施形態の場合、図３に示すように、後述するパッド部３２，輪状部４０，弾性部材３４を除く部分が伸縮性を有する生地から形成されている。また、この伸縮性を有する生地については、右前身頃４２と左前身頃４３とが前後に重なる部分３６を除く領域３８、及び後身頃の略全体が横方向に比べて縦方向の伸縮性が弱くなるように編成されている。
【００２２】
そして、ブラジャー部３０は、一対のパッド部３２，３２の周縁部が左前身頃４３及び右前身頃４２の夫々の伸縮性を有する生地に縫合されているが、このバッド部３２は、ソフトな着用感を得られるように、柔軟であって厚み方向に所定の弾力性が付与されている。さらに、パッド部３２，３２は、漏乳による不快感を与えないように、内側（身体側）に漏乳を吸収するための母乳パッドが粘着テープで貼付できる素材、例えばポリエステルから形成され、着用時に少なくとも乳首を覆うことができる位置にある。
【００２３】
ここで、本発明のブラジャー部３０は、ソフトな着用感であっても、乳房のサポート力を高めるため、種々の工夫が施されている。
先ず、ブラジャー部３０は、図３に示すように、弾性力により使用者Ｍのアンダーバスト周辺を締付ける輪状部４０を有している。輪状部４０は、ブラジャー部３０をアンダーバスト周辺に位置決めするための部材であり、使用者Ｍのアンダーバストの寸法より若干小さな寸法を有する輪状の例えばゴムが、ブラジャー部３０の下端部に縫合されることで形成されている。これにより、ブラジャー部３０のアンダーバストにおける動きが規制され、乳房のサポート機能を高めることができる。また、上述したようにパッド部３２に貼付した母乳パッドが吸収した漏乳により重たくなって剥がれたとしても、落下する事態を防止できる。なお、輪状部４０には、ブラジャー部３０が上に移動しない程度の締付力があれば足り、輪状部４０が上に移動しようとする際には乳房に係止されることも考慮すると、強力な締付力は必要ない。
【００２４】
また、ブラジャー部３０は、インナーウェア部１２の左右の脇ぐり部２０の肩ＳＨ（図２及び図３の点線で囲った部分）より下側である第１の領域２２，２２に結合されている。このため、ブラジャー部３０は、この第１の領域２２，２２及び輪状部４０により、前身頃について、図３に示すようにパッド部３２，３２の下側（アンダーバスト）と左右外側（脇ぐり部２０の下側）の３点で位置決めされ、側面については、図２に示すように脇の下周辺でブラジャー部３０を位置決めされる。
また、ブラジャー部３０は、後身頃の左右の肩甲骨ＫＢの間であって首の根元側の第２の領域２６（図１及び図３の二点鎖線で囲った部分）でインナーウェア１２と結合されている。このため、ブラジャー部３０は、後身頃側について、図３に示すように背中の上側で位置決めされる。このようにして、ブラジャー部３０は前後左右の適所で位置決めされるため、容易に動かず、乳房のサポート力を発揮する。
【００２５】
なお、第２の領域２６についての上記首の根元側とは、「後身頃の左右の肩甲骨ＫＢの間を等分で縦方向に２分割した際の上側」を意味するものであり、首の根元周辺を意味するものではない。したがって、例えば、本実施形態の変形例である図６に示すように、図３に比べて第２の領域２６が若干下よりとされても構わない。
【００２６】
さらに、図３のブラジャー部３０は、右前身頃４２及び左前身頃４３の各上端部に弾性部材３４が設けられており、この弾性部材３４の一方の端部３４ａは脇ぐり部２０と結合され、他方の端部３４ｂは輪状部４０と結合されている。なお、本実施形態の弾性部材３４には、ゴムウレタンが混在した繊維であるマイクロテープが利用されている。これにより、弾性部材３４は、使用者Ｍが着用した際、位置決めされた脇ぐり部２０と輪状部４０との間で張力をもってかけわたされる。そして、この弾性部材３４とパッド部３２とが直接、縫合等されて結合され、これにより、弾性部材３４でパッド部３２をつった状態に支えて、パッド部３２の乳房に対する位置ずれをより有効に防止している。
【００２７】
そして、このように、ブラジャー部３０は乳房のサポート機能を有効に発揮するようにしても、インナーウェア部１２のリラクゼーション機能を阻害するような構成とはされていない。
先ず、後述するようにブラジャー部３０はインナーウェア部１２の特定の部分にのみ結合され、図２に示すように、弾性力を有する輪状部４０はインナーウェア部３０と結合されていない。したがって、輪状部４０の弾性力によってインナーウェア部３０の伸縮性が奪われることなく、インナーウェア部３０のリラクゼーション感は維持される。
【００２８】
そして、ブラジャー部３０は、図３に示すように、左右の脇ぐり部２０の肩ＳＨより下側である第１の領域２２，２２、及び、後身頃の左右の肩甲骨ＫＢの間であって首の根元側の第２の領域２６でのみ、インナーウェア１２と結合されている。この第１の領域２２，２２及び第２の領域２６は、上半身の中で比較的動きの少ない領域である。すなわち、第１の領域２２，２２は、両腕の各上腕を通す挿入口である脇ぐり部２０に位置するが、この脇ぐり部２０は上腕の根元に係止されて比較的動き難い部分であり、この動き難い脇ぐり部２０のなかでも、動きの大きい肩を除く下側はさらに動き難い。また、第２の領域２６も、後身頃において動きの大きい左右の肩甲骨ＫＢを避けるようにし、左右の肩甲骨ＫＢの間でも首の根元側はさらに動きが少ない。
このため、これらの結合領域２２，２２，２６におけるブラジャー部３０とインナーウェア部１２との相互作用は小さく、ブラジャー部３０の動きに伴ってインナーウェア部１２が動くことが少なく、逆にインナーウェア部１２の動きに伴ってブラジャー部３０が動くことも少ない。したがって、ブラジャー部３０とインナーウェア部１２とを結合したとしても、インナーウェア部１２のリラクゼーション感は大きく損なわれない。
【００２９】
また、ブラジャー部３０とインナーウェア部１２との第１の領域２２における結合については、好ましくは、前身頃において、略脇の下に対応した領域２４（図３の平行斜線で示す部分であって、パッド部３２に近い左右の領域）でのみ結合されるとよい。本実施形態の場合、ブラジャー部３０とインナーウェア部１２とは、図２に示すように、前身頃について、脇ぐり部２０の下側３分の１程度の領域２４で結合され、後身頃については、肩ＳＨより下側の領域で結合されている。さらに、より好ましくは、インナーウェア部１２の脇ぐり部２０には、図３に示すように、ゴム２９等を縫合して弾性力を付与するとよい。
そして、これら第１の領域２２における結合箇所の工夫と、脇ぐり部２０への弾性力の付与により、授乳の際、図５に示すようにインナーウェア部１２及びブラジャー部３０の右前身頃１６，４２の双方を同時にめくっても、それに連れて、肩紐等の肩掛部１１が肩からズレ落ちる事態などを防止し、リラックスして授乳できる。
【００３０】
なお、後身頃の左右肩甲骨の間は産前産後の母親が最も発汗し易い領域であり、図３に示すように、この領域をブラジャー部３０とインナーウェア部１２とを重ねて二重構造とすることで、汗が外側に滲まないようにしている。そして、上述したように、後身頃においては、ブラジャー部３０とインナーウェア部１２とは左右の肩甲骨ＫＢの間であって首の根元側の第２の領域２６でのみ結合しているため、二重構造とされた左右肩甲骨ＫＢの間の両脇３０ａ，３０ａが通気口となって、汗を乾かすことができる。
【００３１】
本発明の実施形態は以上のように構成されており、ブラジャー部３０はアンダーバスト周辺を締付ける輪状部４０を有し、さらに、脇ぐり部の肩より下側である第１の領域２２，２２、及び後身頃の左右の肩甲骨の間であって首の根元側である第２の領域２６で、インナーウェア部と結合されている。このため、アンダーバスト周辺、パッド部３２の左右外側、及び背中側で位置決めされ、めくれや位置ずれを防止して、ブラジャー機能を有効に発揮できる。そして、このようにブラジャー機能を有効に発揮しても、この第１の領域２２，２２及び第２の領域２６は動きの少ない領域であるため、ブラジャー部３０とインナーウェア部１２との結合による相互作用は小さい。したがって、ブラジャー部３０とインナーウェア部１２とを結合したとしても、インナーウェア部１２のリラクゼーション感は大きく損なわれない。また、このようなブラジャー部３０は、胸の谷間付近で右前身頃４２と左前身頃４３とが交差するように前後に重なっているため、インナーウェア部１２の右前身頃１６や左前身頃１７をめくると同時にブラジャー部３０のそれもめくって乳房を露出し、授乳機能を容易に発揮できる。
【００３２】
なお、本発明は上述した実施形態に限られるものではなく、例えば、本実施形態の変形例である図６に示すように、肩掛部１１は紐状であっても構わない。
【符号の説明】
【００３３】
１０・・・ブラジャー付き授乳用インナーウェア、１２・・・インナーウェア部、２０・・・脇ぐり部、２２・・・第１の領域、２６・・・第２の領域、３２・・・パッド部、４０・・・輪状部
【図１】
2010285724.tif 000003
【図２】
2010285724.tif 000004
【図３】
2010285724.tif 000005
【図４】
2010285724.tif 000006
【図５】
2010285724.tif 000007
【図６】
2010285724.tif 000008
【図７】
2010285724.tif 000009